(57)【要約】【課題】照明装置を天井に取り着けた状態において、天井面からの突出量が少なく、部屋内の美観を損ないにくい照明装置を提供することを目的とする。【解決手段】  少なくとも１つの発光素子と、導光板と、それらを収容する筐体とを備え、天井に形成された埋込穴を利用して取り着けられる照明装置であって、筐体の天井面に対面する側の面板の一部に、筐体が天井に取着された状態において埋込穴に没入する冠状部が設けられ、冠状部の内部空間に、発光素子が配置され、発光素子を覆う状態で導光板が、筐体のうちの残部の少なくとも一部に配置されている。【選択図】図５
2014093216.tif 000002
【特許請求の範囲】
【請求項１】
少なくとも１つの発光素子と、導光板と、それらを収容する筐体とを備え、天井に形成された埋込穴を利用して取り着けられる照明装置であって、
前記筐体の天井面に対面する側の面板の一部に、筐体が天井に取着された状態において前記埋込穴に没入する冠状部が設けられ、
前記冠状部の内部空間に、前記発光素子が配置され、発光素子を覆う状態で前記導光板が、前記筐体のうちの残部の少なくとも一部に配置されている
ことを特徴とする照明装置。
【請求項２】
筐体のうちの前記残部の外周縁部は、筐体が天井に取着された状態において
前記埋込穴よりも外側へ張り出している
ことを特徴とする請求項１に記載の照明装置。
【請求項３】
前記発光素子で発生した熱を装置外部へ放熱するための放熱部材をさらに備え、
前記放熱部材は、前記冠状部の上面に取り付けられ、筐体が天井に取着された状態において前記埋込穴に没入している
ことを特徴とする請求項１に記載の照明装置。
【請求項４】
前記導光板は、
前記発光素子から出射された光が入射する入射面と前記入射面から入射した光を反射させる反射面とを有する導入部分と、
前記導入部分と連続しており、前記反射面で反射した光を出射させる出射面を有する出射部分とを備え、
前記導光板のうち少なくとも前記出射部分が、筐体が天井に取着された状態において天井面より下方に位置する部分に配置されている
ことを特徴とする請求項１に記載の照明装置。
【請求項５】
前記発光素子は、前記天井面と平行な仮想面上に環状に複数個配置され、
前記導入部分は、前記複数の発光素子からなる環に沿って環状に形成され、
前記出射部分は、前記導入部分の環内側に位置する環内出射部分と、前記導入部分の環外側に位置する環外出射部分とで構成される
ことを特徴とする請求項４に記載の照明装置。
【請求項６】
前記発光素子と、前記発光素子が搭載された基板とを有し、前記冠状部の内部空間内に配置された発光モジュールと、
前記筐体の天井面とは反対側に、前記導光板を覆うように取り付けられ、前記導光板から出射された光を拡散する拡散カバーとをさらに備える
ことを特徴とする請求項１に記載の照明装置。
【請求項７】
前記発光素子から出射された光を反射して前記導光板に入射させる反射面を有する反射部材をさらに備える
ことを特徴とする請求項１に記載の照明装置。
【請求項８】
前記反射部材は、前記反射面と前記導光板の裏側の面とが対向した状態で、その少なくとも一部が前記冠状部の内部空間に配置される
ことを特徴とする請求項７に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備える照明装置に関し、特に、導光板を用いて面発光する直下型方式の照明装置に関する。
【背景技術】
【０００２】
ＬＥＤ等の発光素子を導光板の裏側に設け、面発光する直下型方式の照明装置が知られている（例えば、特許文献１、特許文献２参照）。
具体的には、発光素子は、主出射方向を導光板に向けた状態で、導光板の裏側に配置される。発光素子から出射された光は、発光素子に対向する導光板の入射面から入射し、導光板の出射面から出射される。これにより、点光源である発光素子から出射された光を用いて、面発光を実現することができる。
【０００３】
このような直下型方式の照明装置は、発光素子を導光板の裏側に配置するので、発光素子を導光板の側面側に設けるエッジライト方式と比較して、照明装置表側の発光部分をより多く確保できるといった特長がある。
【先行技術文献】
【特許文献】
【０００４】
【特許文献１】特開２００１−１０８９８７号公報
【特許文献２】特開２００８−１１２７３９号公報
【発明の概要】
【発明が解決しようとする課題】
【０００５】
しかしながら、直下型方式の照明装置は、導光板の裏側に発光素子を配置する必要があり、エッジライト方式の照明装置と比較して、照明装置の厚みが大きくなってしまう。このような直下型方式の照明装置を天井に取り着けた場合、天井面からの突出量が大きくなり、部屋内の美観が損なわれるおそれがある。
本発明は、上記の事情に鑑みなされたものであり、照明装置を天井に取り着けた状態において、発光素子と導光板との両方が縦配置で天井面より下側に配置されるため、天井面からの突出量が少なく、部屋内の美観を損ないにくい照明装置を提供することを目的とする。
【課題を解決するための手段】
【０００６】
上記目的を達成するため、本発明の一態様である照明装置は、少なくとも１つの発光素子と、導光板と、それらを収容する筐体とを備え、天井に形成された埋込穴を利用して取り着けられる照明装置であって、前記筐体の天井面に対面する側の面板の一部に、筐体が天井に取着された状態において前記埋込穴に没入する冠状部が設けられ、前記冠状部の内部空間に、前記発光素子が配置され、発光素子を覆う状態で前記導光板が、前記筐体のうちの残部の少なくとも一部に配置されていることを特徴とする。
【発明の効果】
【０００７】
本発明の一態様である照明装置によれば、筐体の天井面に対面する側の面板の一部に、筐体が天井に取着された状態において埋込穴に没入する冠状部が設けられ、その冠状部の内部空間に発光素子が配置されるので、天井面からの突出量を少なくすることができる。天井面からの突出量が少なく、部屋内の住人にとって目立ちにくいので、照明装置の設置により部屋内の美観が損なわれるおそれは低い。一方、発光素子を覆う状態で導光板が、筐体のうちの残部の少なくとも一部に配置されているので、照明装置として十分な明るさを確保することができる。
【図面の簡単な説明】
【０００８】
【図１】実施の形態１にかかる照明装置の天井板への取り着けの態様を説明する図である。
【図２】実施の形態１にかかる照明装置を示す斜視図である。
【図３】実施の形態１にかかる照明装置を示す分解斜視図である。
【図４】実施の形態１にかかる筐体を示す断面図である。
【図５】実施の形態１にかかる照明装置を示す断面図である。
【図６】図５に示す実施の形態１にかかる照明装置の右端部の拡大断面図である。
【図７】実施の形態２にかかる照明装置を示す分解斜視図である。
【図８】実施の形態２にかかる照明装置を示す断面図である。
【発明を実施するための形態】
【０００９】
以下、本発明の一態様にかかる照明装置について、図面を参照しながら説明する。なお、各図面における部材の縮尺は実際のものとは異なる。また、以下では、照明装置の照明方向側を表側とし、表側の反対側を裏側として説明を行なう。
≪実施の形態１≫
［全体構成］
まず始めに、実施の形態１にかかる照明装置の全体構成について説明する。
【００１０】
図１は、実施の形態１にかかる照明装置の天井板への取り着けの態様を説明する図である。図１に示すように、本発明の一態様にかかる照明装置１は、天井に形成された埋込穴を利用して取り着けられる照明装置である。
図１に示す例では、天井板２に設けた埋込穴２ａに筐体１０の一部が埋め込まれている。筐体１０の裏面には、照明装置１内の発光素子等から発生した熱を装置外部へ放熱するための放熱部材３が設けられ、その放熱部材３の側面には板ばね状の封止部材４が取り着けられている。照明装置１は、この封止部材４を、天井板２の天井裏面２ｂに掛止させることによって、天井板２に取り着けられている。
【００１１】
なお、掛止部材４は板ばね状のものに限定されない。また、照明装置１の天井板２への取り着け方法は掛止部材４を用いた掛止によるものに限定されず、ねじ止めや接着等で取り着けられていてもよい。
天井板２の天井裏面２ｂには、照明装置１を点灯させるための回路ユニット５が配置されており、照明装置１は、電源線２３を介して回路ユニット５と電気的に接続されている。回路ユニット５は、外部の商用交流電源（不図示）と電気的に接続されており、商用交流電源から入力される電流を照明装置１に供給する。なお、本実施の形態では、回路ユニット５が照明装置１とは別途に必要であるが、本発明にかかる照明装置は回路ユニット５を内蔵した照明装置であってもよい。
【００１２】
以上が、実施の形態１にかかる照明装置の全体構成についての説明である。続いて、実施の形態１にかかる照明装置の各構成について説明する。
［照明装置の各構成］
図２は、実施の形態１にかかる照明装置を示す斜視図である。図３は、実施の形態１にかかる照明装置を示す分解斜視図である。図４は、実施の形態１にかかる筐体を示す断面図である。図５は、実施の形態１にかかる照明装置を示す断面図である。図６は、図５に示す実施の形態１にかかる照明装置の右端部の拡大断面図である。図２〜図６に示すように、照明装置１は、筐体１０、発光モジュール２０、反射部材３０、導光板４０、拡散カバー５０、および放熱部材３を備える。
【００１３】
（筐体）
図３と図４に示すように、筐体１０は、例えば、アルミダイキャスト製の筐体であって、円環板状の本体部１２と、当該本体部１２の天井面に対面する側の面板１６の中央部に設けられた冠状部１１とを有する。
冠状部１１は、円板状の天板部分１３と天板部分１３の外周縁に延設された円筒状の側壁部分１４とを有し、図４に示すように、その内部に空間１８を有する。図４、図５、および図６において、符号Ｈ１１で示す範囲が天井面に対して垂直方向の冠状部１１の範囲であり、符号Ｗ１１で示す範囲が天井面に対して水平方向の冠状部１１の範囲である。また、符号Ｈ２ａで示す範囲が天井面に対して垂直方向の埋込穴２ａの範囲であり、符号Ｗ２ａで示す範囲が天井面に対して水平方向の埋込穴２ａの範囲である。このように、冠状部１１は、筐体１０が天井に取り着けられた状態において、埋込穴２ａに没入している。
【００１４】
冠状部１１内の空間１８には、発光モジュール２０、反射部材３０の一部および導光板４０の一部が収容されている。具体的には、冠状部１１内の空間１８には、発光素子２２が配置された発光モジュール２０、反射部材３０の一部分、導光板４０の素子列対向部分４４、ならびに導光板４０の第１光散乱部分４５、第２光散乱部分４６、第３光散乱部分４７、および第４光散乱部分４８の一部分が収容されている。
【００１５】
すなわち、照明装置１が天井に取り着けられた状態において、発光素子２２を備える発光モジュール２０、反射部材３０の一部分、導光板４０の素子列対向部分４４、ならびに導光板４０の第１光散乱部分４５、第２光散乱部分４６、第３光散乱部分４７、および第４光散乱部分４８の一部分は、天井面より上側の埋込穴２ａ内に位置する。
本体部１２は、筐体１０において冠状部１１以外の残りの部分（残部）である。本体部１２は、天井板２に当接される円環板状の面板１６と、当該面板１６の外周縁に延設されたフランジ部分１７とを有し、図４に示すように、その内部に空間１９を有する。図４、図５、および図６において、符号Ｈ１２で示す範囲が天井面に対して垂直方向の本体部１２の範囲であり、符号Ｗ１２で示す範囲が天井面に対して水平方向の本体部１２の範囲である。また、符号Ｗ１２ａで示す範囲が本体部１２の外周縁部１２ａである。このように、本体部１２は、筐体１０が天井に取り着けられた状態において、天井面から露出している。また、本体部１２の外周縁部１２ａは、筐体１０が天井に取り着けられた状態において、埋込穴２ａよりも外側へ張り出している。
【００１６】
本体部１２内の空間１９には、反射部材３０の一部と導光板４０の一部とが収容されている。具体的には、本体部１２内の空間１９には、反射部材３０の一部分、環内側部４２、環外側部４３、ならびに第１光散乱部分４５、第２光散乱部分４６、第３光散乱部分４７、および第４光散乱部分４８の一部分が収容されている。
すなわち、照明装置１が天井に取り付けられた状態において、反射部材３０の一部分、環内側部４２、環外側部４３、ならびに第１光散乱部分４５、第２光散乱部分４６、第３光散乱部分４７、および第４光散乱部分４８の一部分は、天井面より下側に配置され、天井面から露出している。
【００１７】
また、図５に示すように、本体部１２のフランジ部分１７には、拡散カバー５０の側壁部５２を外嵌させた状態で、筐体１０と拡散カバー５０とが例えば接着等により固定されている。
（発光モジュール）
図３に戻って、発光モジュール２０は、円環板状の基板２１と、当該基板２１の一方の主面である素子搭載面２１ａに搭載された複数の発光素子２２とを有し、冠状部１１の内部の空間１８の天井面と平行な仮想面上に配置されている。発光モジュール２０の外径は筐体１０の冠状部１１の内径と略同じであり、発光モジュール２０を冠状部１１内の空間１８に収容するだけで発光モジュール２０の位置決めが完了する。各発光素子２２は、それぞれの主出射方向を導光板４０に向けた状態で、基板２１の素子搭載面２１ａに円環状に配列されている。
【００１８】
基板２１は、例えば、セラミック基板や熱伝導樹脂等からなる絶縁層とアルミ板等からなる金属層との２層構造を有する。基板２１には配線パターン（不図示）が形成されており、各発光素子２２は前記配線パターンおよびコネクタ２４を介して電源線２３と電気的に接続されている。基板２１の素子搭載面２１ａは、光を効率良く導光板４０側へ反射させるための反射面となっている。
【００１９】
発光素子２２は、例えば、ＬＥＤであって、基板２１の素子搭載面２１ａにＣＯＢ（Ｃｈｉｐ  ｏｎ  Ｂｏａｒｄ）技術を用いてフェイスアップ実装されている。なお、本発明に係る発光素子は、例えば、ＬＤ（レーザダイオード）や、ＥＬ素子（エレクトリックルミネッセンス素子）であってもよい。また、本発明に係る発光素子は、ＳＭＤ（Ｓｕｒｆａｃｅ  Ｍｏｕｎｔ  Ｄｅｖｉｃｅ）型のものが基板に搭載されていてもよい。
【００２０】
（放熱部材）
図５に示すように、放熱部材３は、冠状部１１の上面に取り付けられている。放熱部材３は、例えば銅やアルミニウム等からなり、発光モジュール２０を構成する基板２１や素子搭載面２１ａに円環状に搭載された発光素子２２等で発生した熱を装置外部へ放熱する役割を有する。
【００２１】
図５において、符号Ｈ３で示す範囲が放熱部材３である。このように、放熱部材３は、筐体１０が天井に取り着けられた状態において、埋込穴２ａ内に位置する。このため、天井面からの突出量は増えず、部屋内の住人にとって邪魔にならないため、放熱部材３には、放熱性能の高い大きな体積を有する放熱部材を採用することができる。
また、放熱部材３は、発光モジュール２０とともに埋込穴２ａ内に位置するため、発光モジュール２０の配置位置に近い位置に配置することができる。このため、照明装置１の主な発熱源である発光モジュール２０で発生した熱を装置外部へ効率的に放熱することができる。
【００２２】
（反射部材）
反射部材３０は、円形板状の内側反射部材３０ａと、内側反射部材３０ａの外周を囲むように配置される円環板状の外側反射部材３０ｂとで構成されており、発光素子２２から出射された光を反射して導光板４０に入射させる役割を有する。図５に示すように、反射部材３０は、冠状部１１内の空間１８および本体部１２内の空間１９にわたって配置されている。具体的には、内側反射部材３０ａは、導光板４０の環内側部４２の裏側に配置されており、外側反射部材３０ｂは、導光板４０の環外側部４３の裏側に配置されており、反射部材３０全体としては、発光素子２２を避けるようにして導光板４０の裏側に配置されている。
【００２３】
外側反射部材３０ｂの外径は筐体１０の冠状部１１の内径と略同じであり、外側反射部材３０ｂを冠状部１１内の空間１８に収容するだけで外側反射部材３０ｂの位置決めが完了する。内側反射部材３０ａおよび外側反射部材３０ｂの材料としては、高反射ポリカーボネート樹脂、高反射ナイロン樹脂、高反射ポリブチレンテレフタレート樹脂、高反射発泡樹脂等の反射率の高い材料が最適である。
【００２４】
図６に示すように、内側反射部材３０ａの表側の面は、第１光反射面３１ａと第２光反射面３２ａとで構成されている。第１光反射面３１ａは、導光板４０の環内側部４２の裏側の面４２ｂと対向しており、環内側部４２から裏側に漏れる光を反射させて環内側部４２に戻す役割を果たす。第２光反射面３２ａは、導光板４０の環状部４１の第２光散乱部分４６の裏側の面４６ｂと対向しており、第２光散乱部分４６から裏側に漏れる光を反射させて第２光散乱部分４６に戻す役割を果たす。
【００２５】
また、図６に示すように、外側反射部材３０ｂの表側の面は、第１光反射面３１ｂと第２光反射面３２ｂとで構成されている。第１光反射面３１ｂは、導光板４０の環外側部４３の裏側の面４３ｂと対向しており、環外側部４３から裏側に漏れる光を反射させて環外側部４３に戻す役割を果たす。第２光反射面３２ｂは、導光板４０の環状部４１の第４光散乱部分４８の裏側の面４８ｂと対向しており、第４光散乱部分４８から裏側に漏れる光を反射させて第４光散乱部分４８に戻す役割を果たす。
【００２６】
また、図５に示すように、内側反射部材３０ａと外側反射部材３０ｂとは、導光板４０の裏側において、内側反射部材３０ａの外周面３３ａと外側反射部材３０ｂの内周面３３ｂとが間隔を空けて互いに対向した状態で配置されている。内側反射部材３０ａの外周面３３ａと外側反射部材３０ｂの内周面３３ｂとは、それぞれ光反射面となっている。
（導光板）
図３に示すように、導光板４０は、円形板状であって、発光素子２２からなる素子列に沿って円環状に形成された環状部４１と、環状部４１の環内側に環状部４１と連続して形成された円板状である環内側部４２と、環状部４１の環外側に環状部４１と連続して形成された円環状である環外側部４３とで構成される。それら、環状部４１、環内側部４２および環外側部４３の３つは一体に成形されている。導光板４０の材料としては、アクリル樹脂、ポリカーボネート樹脂、ポリスチレン樹脂、ガラス等の導光性の良い材料が最適である。
【００２７】
環状部４１は、素子列対向部分４４、第１光散乱部分４５、第２光散乱部分４６、第３光散乱部分４７、および第４光散乱部分４８で構成され、導光板４０内に発光素子２２から出射された光を導入する役割を有する。素子列対向部分４４は、複数の発光素子２２からなる素子列と対向する円環状である。第１光散乱部分４５は、素子列対向部分４４の環内側に位置し素子列対向部分４４に沿った円環状である。第２光散乱部分４６は、第１光散乱部分４５の環内側に位置し第１光散乱部分４５に沿った円環状である。第１光散乱部分４５と第２光散乱部分４６とで内側反射部分が構成される。第３光散乱部分４７は、素子列対向部分４４の環外側に位置し素子列対向部分４４に沿った円環状である。第４光散乱部分４８は、第３光散乱部分４７の環外側に位置し第３光散乱部分４７に沿った円環状である。第３光散乱部分４７と第２光散乱部分４８とで外側反射部分が構成されている。
【００２８】
図６において、符号Ｗ４１で示す範囲が環状部４１であり、符号Ｗ４２で示す範囲が環内側部４２であり、符号Ｗ４３で示す範囲が環内側部４２である。環外側部４３の外周縁部は、本体部１２の面板１６上に載置された状態で、本体部１２の面板１６と拡散カバー５０の外周縁部５１ａとで挟持されることで位置決めされている。図６において、符号Ｗ４４で示す範囲が素子列対向部分４４であり、符号Ｗ４５で示す範囲が第１光散乱部分４５であり、符号Ｗ４６で示す範囲が第２光散乱部分４６であり、符号Ｗ４７で示す範囲が第３光散乱部分４７であり、符号Ｗ４８で示す範囲が第４光散乱部分４８である。
【００２９】
また、図６に示すように、導光板４０の表側の面は、環状部４１の表側の面４１ａと、環内側部４２の表側の面４２ａと、環外側部４３の表側の面４３ａとで構成される。そして、環状部４１の表側の面４１ａは、素子列対向部分４４の表側の面４４ａと、内側反射部分の表側の面と、外側反射部分の表側の面とで構成される。内側反射部分の表側の面は、反射面であって、第１光散乱部分４５の表側の面である第１光散乱領域４５ａと、第２光散乱部分４６の表側の面である第２光散乱領域４６ａとで構成される。外側反射部分の表側の面も、反射面であって、第３光散乱部分４７の表側の面である第３光散乱領域４７ａと、第４光散乱部分４８の表側の面である第４光散乱領域４８ａとで構成される。
【００３０】
図５に戻って、発光素子２２を覆う状態で導光板４０は、本体部１２内の空間１９の一部に配置されている。具体的には、本体部１２内の空間１９に、環内側部４２、環外側部４３、ならびに第１光散乱部分４５、第２光散乱部分４６、第３光散乱部分４７、および第４光散乱部分４８の一部分が収容されている。また、冠状部１１内の空間１８に、導光板４０の素子列対向部分４４、ならびに導光板４０の第１光散乱部分４５、第２光散乱部分４６、第３光散乱部分４７、および第４光散乱部分４８の一部分が収容されている。
【００３１】
また、導光板４０の裏側の面は、環状部４１の裏側の面４１ｂと、環内側部４２の裏側の面４２ｂと、環外側部４３の裏側の面４３ｂとで構成される。そして、環状部４１の裏側の面４１ｂは、素子列対向部分４４の裏側の面４４ｂと、第１光散乱部分４５の裏側の面４５ｂと、第２光散乱部分４６の裏側の面４６ｂと、第３光散乱部分４７の裏側の面４７ｂと、第４光散乱部分４８の裏側の面４８ｂとで構成される。
【００３２】
環状部４１の表側の面４１ａは、裏側から環状部４１に入射した発光素子２２の光を、環内側部４２或いは環外側部４３に向けて反射させるための反射面となっている。図５および図６に示すように、導光板４０の縦断面（導光板４０の表側の面の中心を通り、且つ、導光板４０の表側の面と直交する仮想面で切断した断面）において、環状部４１の表側の面４１ａの形状は、中央が裏側に突出するよう折り返された略Ｖ字形である。折り返し部分は、裏側に膨らんだＲ形状になっている。折り返し部分の両側は、環内側部４２および環外側部４３に向けて効率良く光を反射させるために、それぞれ表側に膨らんだ略円弧形となっている。
【００３３】
環状部４１の表側の面４１ａには、光散乱処理が施されている。具体的には、第１光散乱領域４５ａ、第２光散乱領域４６ａ、第３光散乱領域４７ａ、および第４光散乱領域４８ａに、光散乱処理として凹部４５ｃ，４６ｃ，４７ｃ，４８ｃが設けられている。光散乱処理が施されているため、環状部４１内から表側の面４１ａに入射した光は、全反射されるのではなく、その一部が凹部４５ｃ，４６ｃ，４７ｃ，４８ｃで散乱されて、導光板４０の外部へと出射される。なお、素子列対向部分４４の表側の面４４ａには凹部は設けられていない。
【００３４】
本実施の形態において、凹部４５ｃ，４６ｃ，４７ｃ，４８ｃは、形状がそれぞれ略半球状であって、大きさは全て同じである。なお、本発明に係る凹部の形状および大きさ等は任意であり、光散乱効果が得られるものであればよく、形状としては例えば略円錐状や略円錐台状等であってもよい。
図６に戻って、環状部４１の裏側の面４１ｂの一部は、発光素子２２の光が入射する入射面となっている。素子列対向部分４４の裏側の面４４ｂがその入射面に相当する。素子列対向部分４４の裏側の面４４ｂは、複数の発光素子２２からなる素子列に対向した円環状である。さらに、環状部４１の裏側の面４１ｂの全体は、基板２１の素子搭載面２１ａで反射した光が環状部４１に入射するための入射面としても機能している。
【００３５】
環内側部４２の表側の面４２ａは、環内側部４２内に入射した光の一部が出射する光出射面となっている。環外側部４３の表側の面４３ａは、環外側部４３内に入射した光の一部が出射する光出射面となっている。
環内側部４２の裏側の面４２ｂには、光散乱処理として凹部４２ｃが設けられている。したがって、環内側部４２内で凹部４２ｃに入射した光は散乱光となり、表側の面４２ａから出射される。凹部４２ｃは、環内側部４２の裏側の面４２ｂの中心に近づくほど単位面積当たりの数が多くなっており、これにより表側の面４２ａの全体から均一に光が出射されるようになっている。
【００３６】
環外側部４３の裏側の面４３ｂには、光散乱処理として凹部４３ｃが設けられている。したがって、環外側部４３内で凹部４３ｃに入射した光は散乱光となり、表側の面４３ａから出射される。凹部４３ｃは、環外側部４３の裏側の面４３ｂの外周縁に近づくほど単位面積当たりの数が多くなっており、これにより表側の面４３ａの全体から均一に光が出射されるようになっている。一方、図３に示すように、環外側部４３の外周面４３ｄには、当該外周面４３ｄから導光板４０の外部へ光が漏れないような加工が施されている。環外側部４３内を進行し外周面４３ｄに到達した光は、外周面４３ｄで反射されるため、環外側部４３から出ることなく戻り光となって環状部４１に向かう。
【００３７】
なお、環内側部４２および環外側部４３に施される光散乱処理は上記に限定されず任意である。例えば、光散乱処理として凹部ではなく凸部が設けられていても良いし、凹部と凸部の両方が設けられていてもよい。また、光散乱処理が裏側の面４２ｂ，４３ｂではなく表側の面４２ａ，４３ａに施されていても良いし、裏側の面４２ｂ，４３ｂと表側の面４２ａ，４３ａの両方に施されていても良い。但し、環内側部４２の表側の面４２ａおよび環外側部４３の表側の面４３ａの全体から、均一に光が出射するような態様であることが好ましい。
【００３８】
また、図６に示すように、素子列対向部分４４は、冠状部１１内の空間１８に配置されている。また、第１光散乱部分４５、第２光散乱部分４６、第３光散乱部分４７、および第４光散乱部分４８は、冠状部１１内の空間１８および本体部１２内の空間１９にわたって配置されている。また、環内側部４２および環外側部４３は、本体部１２空間１９に配置されている。
【００３９】
導光板４０のうち、第１光散乱部分４５、第２光散乱部分４６、第３光散乱部分４７、および第４光散乱部分４８の反射面から反射した光を出射させる環内側部４２および環外側部４３が、照明装置１を天井に取り着けた状態において埋込穴２ａよりも外側へ張り出している本体部１２内の空間１９に配置されているので、天井面からの突出量を抑えながら、導光板を用いた面発光する照明装置としての機能を確保することができる。
【００４０】
（拡散カバー）
拡散カバー５０は、例えば、シリコーン樹脂、アクリル樹脂、ポリカーボネート樹脂、ガラス等の透光性材料により形成されており、導光板４０から出射された光は拡散カバー５０を透過して照明装置１の外部へ取り出される。
拡散カバー５０は、導光板４０を覆うドーム状の本体部５１と、当該本体部５１の周縁部から裏側方向へ延設された側壁部５２とを有し、当該側壁部５２が筐体１０の本体部１２のフランジ部分１７に固定されている。本体部５１には光散乱処理が施されており、導光板４０から出射された光は本体部５１を透過する際に散乱光となる。したがって、より輝度むらがより一層軽減される。
【００４１】
このように、本実施の形態にかかる照明装置１では、筐体１０の天井面に対面する側の面板の中央部に、筐体１０が天井に取着された状態において埋込穴２ａに没入する冠状部１１が設ける。そして、その冠状部１１内の空間１８に発光モジュール２０を配置する。一方、天井面から露出している本体部１２内の空間１９に、導光板４０の出射部分である環内側部４２および環外側部４３を配置する。発光素子２２を備える発光モジュール２０が、天井面より上側の埋込穴２ａ内に配置され、導光板４０のうち出射部分である環内側部４２および環外側部４３が、天井面より下側に配置され天井面から露出しているので、発光素子と導光板とを縦配置で配置する直下型方式の照明装置において、照明装置としての明るさを確保しつつ、天井面からの突出量を抑えることができる。
【００４２】
≪実施の形態２≫
図７は、第２の実施形態に係る照明装置を示す分解斜視図である。図８は、実施の形態２にかかる照明装置を示す断面図である。
第２の実施形態に係る照明装置１００は、反射部材１３０が内側反射部材だけで構成されており、導光板１４０が環外側部を備えていない点において第１の実施の形態にかかる照明装置１と大きく異なる。第１の実施の形態に係る照明装置１と同様の点も多いので、両者の相違点についてのみ説明し、共通する構成については同じ符号を使って説明を省略する。
【００４３】
図７および図８に示すように、照明装置１００は、筐体１０、発光モジュール１２０、反射部材１３０、導光板１４０、拡散カバー５０、および放熱部材３を備える。
（筐体）
図７および図８に示すように、照明装置１００の筐体１０は、実施の形態１にかかる照明装置１の筐体と同様のものである。
【００４４】
冠状部１１内の空間１８には、発光モジュール１２０、反射部材１３０の一部および導光板１４０の一部が収容されている。具体的には、冠状部１１内の空間１８には、発光素子２２が配置された発光モジュール１２０、反射部材１３０の一部分、ならびに導光板１４０の素子列対向部分および光散乱部分の一部分が収容されている。
すなわち、照明装置１が天井に取り着けられた状態において、発光素子２２が配置された発光モジュール１２０、反射部材１３０の一部分、ならびに導光板１４０の素子列対向部分および光散乱部分の一部分は、天井面より上側の埋込穴２ａ内に位置する。
【００４５】
また、本体部１２内の空間１９には、反射部材１３０の一部と導光板１４０の一部とが収容されている。具体的には、本体部１２内の空間１９には、反射部材１３０の一部分、環内側部１４２ならびに光散乱部分の一部分が収容されている。
すなわち、照明装置１が天井に取り付けられた状態において、反射部材１３０の一部と導光板１４０の一部とが収容されている。具体的には、本体部１２内の空間１９には、反射部材１３０の一部分、環内側部１４２、および光散乱部分の一部分は、天井面より下側に配置され、天井面から露出している。
【００４６】
（発光モジュール）
発光モジュール１２０は、円環板状の基板１２１と、当該基板１２１の一方の主面である素子搭載面１２１ａに搭載された複数の発光素子２２とを有し、冠状部１１の内部の空間１８の天井面と平行な仮想面上に配置されている。発光モジュール１２０の外径は筐体１０の冠状部１１の内径と略同じであり、発光モジュール１２０を冠状部１１内の空間１８に収容するだけで発光モジュール２０の位置決めが完了する。各発光素子２２は、それぞれの主出射方向を導光板１４０に向けた状態で、基板１２１の素子搭載面１２１ａに円環状に配列されている。基板１２１は、実施の形態１にかかる基板２１と比較して、発光素子２２の搭載位置がより外周側に設置されている点を除いて略同様である。
【００４７】
（放熱部材）
図８に示すように、照明装置１００の放熱部材３は、実施の形態１にかかる照明装置１の放熱部材と同様のものである。
（反射部材）
反射部材１３０は、内側反射部材だけで構成されており、図８に示すように、冠状部１１内の空間１８および本体部１２内の空間１９にわたって配置されている。具体的には、反射部材１３０は、導光板１４０の環内側部１４２の裏側に、発光素子２２を避けるようにして、導光板１４０に対して近接配置されている。
【００４８】
反射部材１３０の第１光反射面１３１ａは、導光板１４０の環内側部１４２の裏側の面と対向しており、環内側部１４２から裏側に漏れる光を反射させて環内側部１４２に戻す役割を果たす。第２光反射面１３２ａは、導光板１４０の環状部１４１の第２光散乱部分１４６の裏側の面と対向しており、第２光散乱部分１４６から裏側に漏れる光を反射させて第２光散乱部分１４６に戻す役割を果たす。第１光反射面１３１ａは、環内側部１４２の裏側の面と面接触しており、第２光反射面１３２ａは、第２光散乱部分１４６の裏側の面と面接触している。
【００４９】
（導光板）
導光板１４０が環外側部を備えていない点において、第１の実施の形態にかかる導光板４０と異なる。
図８に示すように、導光板１４０は、円形板状であって、発光素子２２からなる素子列に沿って円環状に形成された環状部１４１と、環状部１４１に外周を囲まれた円板状である環内側部１４２とで構成される。それら、環状部１４１および環内側部１４２は一体に成形されている。
【００５０】
環状部１４１は、素子列対向部分１４４と、第１光散乱部分１４５と、第２光散乱部分１４６とで構成される。第１光散乱部分１４５と第２光散乱部分１４６とで内側反射部分が構成される。素子列対向部分１４４は、複数の発光素子２２からなる素子列と対向する円環状である。第１光散乱部分１４５は、素子列対向部分１４４の環内側に位置し素子列対向部分１４４に沿った円環状である。第２光散乱部分１４６は、第１光散乱部分１４５の環内側に位置し第１光散乱部分１４５に沿った円環状である。
【００５１】
導光板１４０の縦断面において、環状部１４１の表側の面の形状は、表側に膨らんだ略円弧形となっている。環状部１４１の表側の面は、裏側から環状部１４１に入射した発光素子２２の光を、環内側部１４２に反射させるための反射面となっている。素子列対向部分１４４の裏側の面がその入射面に相当する。素子列対向部分１４４の裏側の面は、複数の発光素子２２からなる素子列に対向した円環状である。さらに、環状部１４１の裏側の面の全体は、基板１２１の素子搭載面１２１ａで反射した光が環状部１４１に入射するための入射面としても機能している。
【００５２】
環状部１４１の表側の面には、実施の形態１にかかる導光板４０と同様の光散乱処理が施されている。これにより、環状部１４１に外周を囲まれた円板状である環内側部１４２に、発光素子２２から出射された光を導入することができる。
環内側部１４２の構成は、第１の実施形態にかかる環内側部４２と略同様である。
（拡散カバー）
図７および図８に示すように、照明装置１００の拡散カバー５０は、実施の形態１にかかる照明装置１の筐体と同様のものである。
【００５３】
このように、本実施の形態にかかる照明装置１００では、冠状部１１内の空間１８に発光モジュール１２０を配置する。一方、天井面から露出している本体部１２内の空間１９に、導光板１４０の出射部分である環内側部１４２を配置する。発光素子２２を備える発光モジュール１２０が、天井面より上側の埋込穴２ａ内に配置され、導光板１４０のうち出射部分である環内側部１４２が、天井面より下側に配置され天井面から露出しているので、発光素子と導光板とを縦配置で配置する直下型方式の照明装置において、照明装置としての明るさを確保しつつ、天井面からの突出量を抑えることができる。
【００５４】
［変形例］
なお、上記の実施の形態に基づいて説明してきたが、本発明は上記の実施の形態に限定されないことはもちろんである。以下のような場合も本発明に含まれる。
（ａ）上記の実施の形態において、導光板の素子列対向部分４４は、冠状部１１内の空間１８に配置され、導光板４０の環内側部４２および環外側部４３は、本体部１２内の空間１９に配置されているとしたが、本発明は必ずしもこの場合に限定されない。導光板の出射部分である環内側部４２および環外側部４３が、本体部１２内の空間１９に配置されていれば足りる。例えば、導光板４０の環状部４１（導入部分）を本体部１２内の空間１９に配置するとしてもよい。
【００５５】
また、上記の実施の形態において、反射板３０は、冠状部１１内の空間１８および本体部１２内の空間１９にわたって配置されるとしたが、本発明は必ずしもこの場合に限定されない。本発明の一態様にかかる照明装置は、反射板の少なくとも一部が冠状部１１内の空間１８に配置されていれば足りる。例えば、反射部材３０の全ての部分を冠状部１１内の空間１８に配置するとしてもよい。
【００５６】
（ｂ）上記の実施の形態において、導光板４０が円形板状である場合を示したが、本発明は必ずしもこの場合に限定されない。導光板４０は、例えば、四角形板状、六角形板状、八角形板状等のような多角形の板状であってもよい。また、環状部４１、環内側部４２、環外側部４３、素子列対向部分４４、第１光散乱部分４５、第２光散乱部分４６、第３光散乱部分４７、および第４光散乱部分４８の各形状も、導光板４０の形状に応じて任意である。
【００５７】
（ｃ）上記の実施の形態において、複数個の発光素子２２を環状に配列する場合を示したが、本発明は必ずしもこの場合に限定されない。発光素子２２は少なくとも１つ以上であればよい。また、発光素子２２の配列や基板２１の形状も導光板４０の形状に応じて任意である。
（ｄ）上記の実施の形態において、冠状部１１の形状は、断面円形の柱状のものに限られない。冠状部１１の形状は、発光素子２２の配列や基板２１の形状に応じて任意である。例えば、冠状部１１の形状は、断面四角形、断面六角形、断面八角形のような断面多角形の柱状であってもよい。
【００５８】
すなわち、本実施の形態にかかる照明装置は、上述の説明や図面等で示した構造や形状のものに限られず、天井に取着された状態において、天井面から露出する第１の筐体部（本体部）と、埋込穴内に位置する第２の筐体部（冠状部）とを含む構造であればよい。そして、導光板の少なくとも一部分、具体的には導光板の出射部分が、第１の筐体部（本体部）内の収容部分に配置され、発光素子が、主出射方向を導光板に向けた状態で、第２の筐体部内（冠状部）の収容部分に配置されていればよい。これにより、照明装置として十分な明るさを確保するとともに、天井面からの突出量が少ない照明装置を提供することができる。
【００５９】
（ｅ）上記の実施の形態において、天井面に対して水平方向の冠状部１１の範囲Ｗ１１は、天井面に対して水平方向の埋込穴２ａの範囲Ｗ２ａよりも小さくなるように設計されている。これにより、冠状部１１と埋込穴２ａとの間に空間６０が形成されている。本体部１２の外周縁部１２ａと天井板２とを密着させず、外周縁部１２ａと天井板２との間に隙間を設けて照明装置１を取り着けた場合、この空間６０は排熱経路として働き、発光モジュール２０等から発生した熱を、埋込穴２ａから装置外部へ排熱することができる。
【００６０】
（ｆ）上記の実施の形態において、封止部材４を、天井板２の天井裏面２ｂに掛止させることによって、照明装置１を天井板２に取り着けられているとしたが、本発明は必ずしもこの場合に限定されない。掛止部材４による天井裏面２ｂへの掛止に加え、パッキンを用いて、天井板２の天井表面２ｃと本体部１２の面板１６の一部分とを接着してもよい。パッキンを用いて接着することにより、天井面２と本体部１２の面板１６との間に空間ができる。この空間は排熱経路として働き、発光モジュール２０から発生した熱を、埋込穴２ａから排熱することができる。
【産業上の利用可能性】
【００６１】
本発明にかかる照明装置は、例えば、ダウンライト等の天井に形成された埋込穴を利用して取り着けられる照明装置に利用可能である。
【符号の説明】
【００６２】
１、１００  照明装置
２  天井板
３  放熱部材
４  掛止部材
１０  筐体
１１  冠状部
１２  本体部
１８、１９  空間
２０、１２０  発光モジュール
２１、１２１  基板
２２  発光素子
３０、１３０  反射部材
４０、１４０  導光板
４１、１４１  環状部
４２、１４２  環内側部
４３  環外側部
４４、１４４  素子列対向部分
５０  拡散カバー
【図１】
2014093216.tif 000003
【図２】
2014093216.tif 000004
【図３】
2014093216.tif 000005
【図４】
2014093216.tif 000006
【図５】
2014093216.tif 000007
【図６】
2014093216.tif 000008
【図７】
2014093216.tif 000009
【図８】
2014093216.tif 000010